(57)【要約】  電子ビュー・ファインダの画像を光学ビュー・ファインダの画像よりも大きくする。  ファインダ装置において，光学的な被写体像を表示する領域63Ａの隣に電子ビュー・ファインダの表示画面の一部を表示する領域63Ｂが設けられている。光学式電子式兼用ビュー・ファインダが設定されているときには，領域63Ａに光学的に結像された被写体像70が表示され，領域63Ｂに固体電子撮像素子によって撮像された被写体像の一部71が表示される。電子ビュー・ファインダが設定されているときには，領域63Ａと領域63Ｂとの両方の領域に渡って固体電子撮像素子によって撮像された横長に大きい被写体像が表示される。
2014013796.tif 000002
【特許請求の範囲】
【請求項１】
カメラの前面に形成され，被写体に向く対物窓および上記対物窓を通して見える光学的な被写体像を覗く接眼窓を備えたファインダ装置，
被写体を撮像し，被写体像を表わす画像データを出力する固体電子撮像装置，
上記固体電子撮像装置によって撮像された被写体像を表示画面に表示する表示装置，
上記対物窓を通して見える光学的な被写体像を透過する透過領域と上記透過領域の水平方向または垂直方向に規定され，入射光を遮るマスク領域とが形成されており，かつ上記表示装置の表示画面に表示されている被写体像を上記接眼窓に導く偏向光学系，
被写体と上記偏向光学系との間に設けられ，上記対物窓を通して入射する光線束を遮光自在なシャッタ手段，
上記ファインダ装置を光学式電子式兼用ビュー・ファインダとして利用する場合には上記対物窓を通して入射する光線束を遮光しないように上記シャッタ手段を制御し，上記ファインダ装置を電子ビュー・ファインダとして利用する場合には上記対物窓を通して入射する光線束を遮光するように上記シャッタ手段を制御するシャッタ制御手段，ならびに
上記ファインダ装置を光学式電子式兼用ビュー・ファインダとして利用する場合には上記マスク領域に重なるような上記接眼窓に導かれる位置に情報を表示するように上記表示装置を制御し，上記ファインダ装置を電子ビュー・ファインダとして利用する場合には上記マスク領域および上記透過領域を合わせた領域に重なるような上記接眼窓に導かれる位置に被写体像を表示するように上記表示装置を制御する表示制御手段，
を備えたカメラ。
【請求項２】
上記表示制御手段は，
上記ファインダ装置を光学式電子式兼用ビュー・ファインダとして利用する場合には上記マスク領域に重なるような上記接眼窓に導かれる位置に上記透過領域の中心部分を表わす被写体像を表示するように上記表示装置を制御するものである，
請求項１に記載のカメラ。
【請求項３】
上記ファインダ装置は，上記接眼窓と上記偏向光学系との間に設けられ，かつ光軸が上記透過領域の中心と一致する接眼レンズを備え，
上記表示制御手段は，
上記ファインダ装置を電子ビュー・ファインダとして利用する場合には，上記接眼レンズによるディストーションを補正して上記表示画面に被写体像を表示するものである，
請求項１または２に記載のカメラ。
【請求項４】
上記表示制御手段は，
上記ファインダ装置を光学式電子式兼用ファインダとして利用する場合にはマスク領域に重なるような接眼窓に導かれる位置にカメラの設定状況，上記固体電子撮像装置によって撮像された被写体像のヒストグラム，上記固体電子撮像装置によって撮像された被写体像のピント評価値のグラフ，カメラによって撮像された画像の再生画像，撮像アシスト情報，およびカメラの操作マニュアルの少なくとも一つの情報を表示するように上記表示装置を制御するものである，
請求項１から３のうち，いずれか一項に記載のカメラ。
【請求項５】
カメラの前面に形成され，被写体に向く対物窓および上記対物窓を通して見える光学的な被写体像を覗く接眼窓を備えたファインダ装置を備えたカメラの動作制御方法おいて，，
固体電子撮像装置が，被写体を撮像し，被写体像を表わす画像データを出力し，
表示装置が，上記固体電子撮像装置によって撮像された被写体像を表示画面に表示し，
偏向光学系が，上記対物窓を通して見える光学的な被写体像を透過する透過領域と上記透過領域の水平方向または垂直方向に規定され，入射光を遮るマスク領域とが形成されており，かつ上記表示装置の表示画面に表示されている被写体像を上記接眼窓に導き，
シャッタ手段が，被写体と上記偏向光学系との間に設けられ，上記対物窓を通して入射する光線束を遮光自在であり，
シャッタ制御手段が，上記ファインダ装置を光学式電子式兼用ファインダとして利用する場合には上記対物窓を通して入射する光線束を遮光しないように上記シャッタ手段を制御し，上記ファインダ装置を電子ビュー・ファインダとして利用する場合には上記対物窓を通して入射する光線束を遮光するように上記シャッタ手段を制御し，
表示制御手段が，上記ファインダ装置を光学式電子式兼用ファインダとして利用する場合には上記マスク領域に重なるような上記接眼窓に導かれる位置に情報を表示するように上記表示装置を制御し，上記ファインダ装置を電子ビュー・ファインダとして利用する場合には上記マスク領域および上記透過領域を合わせた領域に重なるような上記接眼窓に導かれる位置に被写体像を表示するように上記表示装置を制御する，
カメラの動作制御方法。
【発明の詳細な説明】
【技術分野】
【０００１】
この発明は，カメラおよびその動作制御方法に関する。
【背景技術】
【０００２】
ファインダ装置には，光学的な被写体像を結像し，その光学的な被写体像を接眼窓から覗く光学的ファインダ機能と，液晶表示装置に撮像により得られた被写体像を表示し，その被写体像を接眼窓に導く電子ビュー・ファインダ機能との両方の機能を有する光学式電子式兼用ビュー・ファインダ装置がある。このようなファインダ装置においては，光学ファインダの対物の光束を一部遮光して，その部分に電子画像を表示するものもある（特許文献１）。光学的電子式兼用ビュー・ファインダでは光学的な被写体像上に液晶表示装置に表示される視野枠などの情報を重ねて表示できる。また，ファインダ光学系に視野マスクを設け，その視野マスクによってマスクされる部分に液晶表示装置の画像を表示するものもある（特許文献２）。さらに，レンズには収差があるので収差補正を行うものもある（特許文献３）。
【先行技術文献】
【特許文献】
【０００３】
【特許文献１】特開2002-152558号公報
【特許文献２】特開2010-16615号公報
【特許文献３】特開平8-160518号公報
【発明の概要】
【発明が解決しようとする課題】
【０００４】
しかしながら，ファインダ装置を光学的電子式兼用ビュー・ファインダとして利用するときに見える光学的な被写体像と，ファインダ装置を電子ビュー・ファインダとして利用するときに液晶表示装置に表示される被写体像とが同じ大きさとして見えるのでは，光学式電子式兼用ビュー・ファインダと電子ビュー・ファインダとの両方の機能を有する意味はあまり無い。【０００５】
この発明は，電子ビュー・ファインダとして機能するときには光学式電子式兼用ビュー・ファインダとして機能したときに得られる被写体像よりも大きな被写体像が得られるようにすることを目的とする。
【課題を解決するための手段】
【０００６】
この発明によるカメラは，カメラの前面に形成され，被写体に向く対物窓および対物窓を通して見える光学的な被写体像を覗く接眼窓を備えたファインダ装置，被写体を撮像し，被写体像を表わす画像データを出力する固体電子撮像装置，固体電子撮像装置によって撮像された被写体像を表示画面に表示する表示装置，対物窓を通して見える光学的な被写体像を透過する透過領域と透過領域の水平方向または垂直方向に規定され，入射光を遮るマスク領域とが形成されており，かつ表示装置の表示画面に被写体像を接眼窓に導く偏向光学系，被写体と偏向光学系との間に設けられ，対物窓を通して入射する光線束を遮光自在なシャッタ手段，ファインダ装置を光学式電子式兼用ビュー・ファインダとして利用する場合には対物窓を通して入射する光線束を遮光しないようにシャッタ手段を制御し，ファインダ装置を電子ビュー・ファインダとして利用する場合には対物窓を通して入射する光線束を遮光するようにシャッタ手段を制御するシャッタ制御手段，ならびにファインダ装置を光学式電子式兼用ビュー・ファインダとして利用する場合にはマスク領域に重なるような接眼窓に導かれる位置に情報を表示するように表示装置を制御し，ファインダ装置を電子ビュー・ファインダとして利用する場合にはマスク領域および透過領域を合わせた領域に重なるような接眼窓に導かれる位置に被写体像を表示するように表示装置を制御する表示制御手段を備えていることを特徴とする。【０００７】
この発明は，カメラに適した動作制御方法も提供している。すなわち，この方法は，カメラの前面に形成され，被写体に向く対物窓および対物窓を通して見える光学的な被写体像を覗く接眼窓を備えたファインダ装置を備えたカメラの動作制御方法おいて，固体電子撮像装置が，被写体を撮像し，被写体像を表わす画像データを出力し，表示装置が，固体電子撮像装置によって撮像された被写体像を表示画面に表示し，偏向光学系が，対物窓を通して見える光学的な被写体像を透過する透過領域と透過領域の水平方向または垂直方向に規定され，入射光を遮るマスク領域とが形成されており，かつ表示装置の表示画面に被写体像を接眼窓に導き，シャッタ手段が，被写体と偏向光学系との間に設けられ，対物窓を通して入射する光線束を遮光自在であり，シャッタ制御手段が，ファインダ装置を光学式電子式兼用ビュー・ファインダとして利用する場合には対物窓を通して入射する光線束を遮光しないようにシャッタ手段を制御し，ファインダ装置を電子ビュー・ファインダとして利用する場合には対物窓を通して入射する光線束を遮光するようにシャッタ手段を制御し，表示制御手段が，ファインダ装置を光学式電子式兼用ビュー・ファインダとして利用する場合にはマスク領域に重なるような接眼窓に導かれる位置に情報を表示するように表示装置を制御し，ファインダ装置を電子ビュー・ファインダとして利用する場合にはマスク領域および透過領域を合わせた領域に重なるような接眼窓に導かれる位置に被写体像を表示するように表示装置を制御するものである。【０００８】
この発明によると，ファインダ装置を光学式電子式兼用ビュー・ファインダとして利用する場合には，ファインダ装置の対物窓を通して入射する光線束を遮光しないようにシャッタ手段が制御され，かつ偏向光学系のマスク領域に重なるような接眼窓に導かれる位置に情報が表示されるように表示装置が制御される。ファインダ装置の対物窓を覗いたユーザは，透過領域を見ると光学的な被写体像を見ることができ，マスク領域を見ると表示画面に表示されている情報を見ることができる。これに対して，ファインダ装置を電子ビュー・ファインダとして利用する場合には，ファインダ装置の対物窓を通して入射する光線束を遮光するようにシャッタ手段が制御されるので，透過領域を見ても光学的な被写体像は見ることができない。また，偏向光学系のマスク領域および透過領域を合わせた領域に重なるような上記接眼窓に導かれる位置に被写体像を表示するように表示装置が制御される。ファインダ装置の対物窓を覗いたユーザは，透過領域とマスク領域との両方の領域を合わせた領域を見ることにより，表示装置に表示された被写体像を見ることができる。液晶表示装置に表示された被写体像は，透過領域とマスク領域との両方の領域を合わせた領域と同じ大きさとなるので，比較的大きなものとなる。光学的な被写体像よりも大きな被写体像を見ることができるようになる。【０００９】
表示制御手段は，たとえば，ファインダ装置を光学式電子式兼用ビュー・ファインダとして利用する場合にはマスク領域に重なるように接眼窓に導かれる位置に透過領域の中心部分を表わす被写体像を表示するように表示装置を制御する。【００１０】
ファインダ装置は，接眼窓と偏向光学系との間に設けられ，かつ光軸が透過領域の中心と一致する接眼レンズを備えてもよい。この場合，表示制御手段は，たとえば，ファインダ装置を電子ビュー・ファインダとして利用する場合には，（接眼窓から被写体像を覗いている場合に接眼レンズの光軸から遠いほど補正量が多くなるように）接眼レンズによるディストーションを補正して表示画面に被写体像を表示するものとなろう。【００１１】
表示制御手段は，ファインダ装置を光学式電子式兼用ビュー・ファインダとして利用する場合にはマスク領域に重なるような接眼窓に導かれる位置にカメラの設定状況，固体電子撮像装置によって撮像された被写体像のヒストグラム，固体電子撮像装置によって撮像された被写体像のピント評価値のグラフ，カメラによって撮像された画像の再生画像，撮像アシスト情報，およびカメラの操作マニュアルの少なくとも一つの情報を表示するように表示装置を制御するものでもよい。
【図面の簡単な説明】
【００１２】
【図１】ディジタル・カメラの正面図である。
【図２】ディジタル・カメラの背面図である。
【図３】ディジタル・カメラを背面から見た斜視図である。
【図４】ディジタル・カメラの電気的構成を示すブロック図である。
【図５】ファインダ装置を構成する一部の部品の斜視図およびプリズムの正面図である。
【図６】光学的な被写体像の一例である。
【図７】ファインダ装置から覗いたときに見える画像の一例である。
【図８】ファインダ装置から覗いたときに見える画像の一例である。
【図９】ディジタル・カメラの処理手順を示すフローチャートである。
【図１０】ファインダ装置から覗いたときに見える画像の一例である。
【図１１】ディストーションにより被写体像が歪んでいる様子を示している。
【図１２】被写体像が歪んでいる様子を示している。
【図１３】ディストーション補正された被写体像の一例である。
【発明を実施するための形態】
【００１３】
図１から図３は，この発明の実施例を示すもので，ディジタル・カメラ１の外観を示している。図１は正面図，図２は背面図，図３は背面から見た斜視図である。
【００１４】
図１を参照して，ディジタル・カメラ１の正面のほぼ中心に前方に突出したレンズ鏡筒２が設けられている。ディジタル・カメラ１の右上には，ファインダ装置を構成し，被写体に向く対物窓３が形成されている。この対物窓３の左側にはストロボ発光装置４が設けられている。この実施例のファインダ装置は，詳しくは後述するように光学式電子式兼用ビュー・ファインダの機能と電子ビュー・ファインダの機能とを切り換えることができる。光学式電子式兼用ビュー・ファインダの機能は，光学ビュー・ファインダによって得られる光学的な被写体像上に電子ビュー・ファインダに表示される情報を重ねる機能をもつものである。ストロボ発光装置４の左側には，光学式電子式兼用ビュー・ファインダの機能と電子ビュー・ファインダの機能とを切り換えるための切替レバー19が設けられている。正面から見て切替レバー19が左側に倒されるとファインダ装置は光学式電子式兼用・ビュー・ファインダの機能が設定され，正面から見て切替レバー19が右側に倒されるとファインダ装置は電子ビュー・ファインダの機能が設定される。
【００１５】
ディジタル・カメラ１の上面において正面から見て左側には，シャッタ・スピード・ダイアル６，電源レバー７，シャッタ・レリーズ・ボタン８および露出ダイアル９が設けられている。シャッタ・スピード・ダイアル６は，回転自在な円形つまみである。ユーザは，シャッタ・スピード・ダイアル６を回転させることにより，所望のシャッタ・スピードを設定できる。電源レバー７は，正面から見て右および左に所定角度動かすことができる。ユーザは，電源レバー７を所定角度動かすことにより，ディジタル・カメラ１の電源をオン，オフできる。電源レバー７は上面から見て（図３参照），内部が空間の円環上のものであり，その空間にシャッタ・レリーズ・ボタン８が設けられている。露出ダイアル９も，回転自在な円形つまみである。ユーザは，露出ダイアル９を回転させることにより，露出を補正できる。
【００１６】
図２および図３を参照して，ディジタル・カメラ１の背面のほぼ全体に渡って液晶表示装置12が設けられている。ディジタル・カメラ１の背面の左上にはファインダ装置を構成する接眼窓11が形成されている。ディジタル・カメラ１の背面の右上には，左右に動かすことができるコマンド・レバー10が設けられている。ユーザは，コマンド・レバー10を操作することにより，マニアル露出時の１／３ＥＶステップでの絞り調整などの指令をディジタル・カメラ１に与えることができる。
【００１７】
コマンド・レバー10の下には，ＡＦ（自動焦点調節）／ＡＥ（自動露出）ロック・ボタン13，コマンド・ダイアル14，メニュー／ＯＫボタン15，バック・ボタン16，RAWボタン17などが設けられている。
【００１８】
主として図３を参照して，上述したように，ディジタル・カメラ１の上面の右側（背面から見て右側）には，シャッタ・スピード・ダイアル６，電源レバー７，シャッタ・レリーズ・ボタン８および露出ダイアル９が設けられている。上述したように，電源レバー７は，正面方向に突出した突起７Ａが形成されている。突起７Ａがつままれて左右に動かされることによりディジタル・カメラ１の電源のオン，オフができる。
【００１９】
ファインダ装置の接眼窓11に目を近づけて接眼窓11から覗くことにより，対物窓３および接眼窓11を介して被写体を見ることができ，カメラ・アングルを決定できる。
【００２０】
図４は，ディジタル・カメラ１の電気的構成を示すブロック図である。
【００２１】
ディジタル・カメラ１の全体の動作は，ＣＰＵ47によって統括される。
【００２２】
ディジタル・カメラ１には，固体電子撮像素子41が含まれている。この固体電子撮像素子34の前方には，レンズ鏡筒２に内蔵されているフォーカス・レンズ群31が位置決めされている。レンズ鏡筒２の周囲には回転自在なフォーカス・リング32が設けられている。ユーザによるフォーカス・リング32の操作に応じて，フォーカス・リング群31が位置決めされる。
【００２３】
固体電子撮像素子41によって被写体が撮像されると，被写体像を表わす映像信号が固体電子撮像素子41から出力される。映像信号は，サンプル／ホールド回路42を介してアナログ／ディジタル変換回路43に入力する。アナログ／ディジタル変換回路43において映像信号がディジタル画像データに変換される。変換されたディジタル画像データは信号処理回路44において，白バランス調整，ガンマ補正などの所定の信号処理が行われる。
【００２４】
信号処理回路44から出力されたディジタル画像データはメモリ46を介してＬＣＤ（Liquid Crystal Display）ドライバ48に与えられる。ＬＣＤドライバ48によって液晶表示装置12（表示画面と同じ符号を使用する）が制御され，固体電子撮像素子41によって撮像された被写体像が液晶表示装置12の表示画面に表示される。
【００２５】
また，シャッタ・レリーズ・ボタン８が押されると，上述のようにメモリ46に入力した画像データはメモリ・カード・コントローラ49の制御によりメモリ・カード50に記録される。
【００２６】
信号処理回路44から出力された画像データは，ＬＣＤドライバ36を介してファインダ装置60の電子ビュー・ファインダ65にも与えられる。電子ビュー・ファインダ65は，液晶表示装置である。電子ビュー・ファインダ65の表示画面65Ａに撮像により得られた被写体像が表示可能となる。
【００２７】
ファインダ装置60には，接眼窓11の前方に接眼レンズ66が設けられており，この接眼レンズ66の前方にはハーフミラー64が形成されているプリズム63が設けられている。ハーフミラー64は，光学ビュー・ファインダ60の光軸Ｌに対して45度の入射角となるように形成されている。このプリズム63の前方にＯＶＦ（光学ビュー・ファインダ）シャッタ（機械シャッタでもよいし，液晶シャッタでもよい）62および対物レンズ61が設けられている。
【００２８】
図５の上図は，ファインダ装置60の内部構成を示す斜視図である。図５の上図においては，分りやすくするために対物レンズ61およびＯＶＦシャッタ62は図示が省略されている。図５の下図は，プリズム63の正面図である。
【００２９】
ＯＶＦシャッタ62に対向するプリズム63の前面の一部には遮光のためのマスク領域63Ｂが形成されている。このマスク領域63Ｂの横に隣接して透過領域63Ａが規定されている。透過領域63Ａのアスペクト比は，水平方向の長さ：垂直方向の長さ＝４：３に規定されている。透過領域63Ａとマスク領域63Ｂとを合わせたプリズム63の前面のアスペクト比は，水平方向の長さ：垂直方向の長さ＝16：９に規定されている。もっとも，これらのアスペクト比に限定されないのはいうまでもない。
【００３０】
図４に戻って，ＯＶＦシャッタ62が閉じていると，電子ビュー・ファインダ65の表示画面65Ａの全体に撮像により得られた被写体像が表示される。表示された被写体像は，プリズム63に形成されているハーフミラー64によって反射され，接眼窓11に導かれる。接眼窓11を覗いたユーザは，電子ビュー・ファインダ65の表示画面65Ａに表示されている被写体像を見ることとなる。電子ビュー・ファインダ65の表示画面65Ａは，上述したように，透過領域63Ａとマスク領域63Ｂとを合わせたプリズム63の前面のアスペクト比と同じアスペクト比を持ち，水平方向の長さ：垂直方向の長さ＝16：９に規定されている。ユーザは，アスペクト比が，水平方向の長さ：垂直方向の長さ＝16：９の被写体像を見ることとなる。
【００３１】
ＯＶＦシャッタ62が開いていると，対物レンズ61および接眼レンズ66によって結像した被写体像を接眼窓11から見ることができる。上述したように，プリズム63の前面にはマスク領域63Ｂが形成されており，このマスク領域63Ｂによって遮光される。このために，接眼窓11から覗いたユーザは，透過領域63Ａを透過した光線束によって結像する被写体像を見ることとなる。上述したようにプリズム63の前面にはマスク領域63Ｂが規定されているので，電子ビュー・ファインダ65の表示画面65Ａのうち，マスク領域65Ｂに対応するハーフミラー64の部分（マスク領域65Ｂをファインダ装置60の光軸Ｌ方向に沿って投影した場合にハーフミラー64にマスク領域65Ｂが投影される部分）に投影される表示領域65Ｂに表示される画像部分はＯＶＦシャッタ62が開いていても接眼窓11を覗いたユーザは見ることができる。ＯＶＦシャッタ62が開いていると，透過領域63を透過して結像する光学的な被写体像と電子ビュー・ファインダ65の表示領域65Ｂに表示される画像との両方を見ることができるようになる。上述のようにＯＶＦシャッタ62が閉じている場合には表示領域65Ｂを含む表示画面65Ａ全体に被写体像が表示される。
【００３２】
図６から図８は，ファインダ装置60の接眼窓11から覗いたときに見える画像の一例である。
【００３３】
図６は，ファインダ装置60のＯＶＦシャッタ62が開いている場合であって，上述したように，電子ビュー・ファインダ65の表示領域65Ｂに何も表示されていないときに，ファインダ装置60の接眼窓11から覗いたときに見える画像の一例である。
【００３４】
ＯＶＦシャッタ62が開いているので，ファインダ装置60の対物窓11を通過し，かつプリズム63の透過領域63Ａを透過した光線束によって結像する光学的な被写体像70を，接眼窓11を覗いたユーザが見ることができる。電子ビュー・ファインダ65の表示領域65Ｂに何も表示されていない場合には，透過領域63Ａの右側のマスク領域63Ｂを見ることとなる。また，電子ビュー・ファインダ65の表示領域65Ｂ以外の領域に撮像範囲を示す視野枠80が表示される。これにより，その視野枠80が光学的な被写体像70上に重ねられて表示される。
【００３５】
図７は，ファインダ装置60のＯＶＦシャッタ62が開いている場合であって，電子ビュー・ファインダ65の表示領域65Ｂに固体電子撮像素子41によって撮像された被写体像の一部が表示されるときに，ファインダ装置60の接眼窓11から覗いたときに見える画像の一例である。
【００３６】
ＯＶＦシャッタ62が開いているので，図６に示すものと同様に対物窓３を通過し，かつ透過領域63Ａを透過した光線束によって結像する光学的な被写体像70が見える。また，電子ビュー・ファインダ65の表示領域65Ｂ以外の領域には，視野枠80が表示されるので，図７においても撮像範囲を示す視野枠80が表示されている。さらに，電子ビュー・ファインダ65の表示領域65Ｂには，透過領域63Ａの中心部分に表示される被写体像部分を拡大した画像71が表示されている。固体電子撮像素子41によって撮像された被写体像の一部が電子ビュー・ファインダ65の表示領域65Ｂに表示されることにより，接眼窓11を覗いたユーザは画像71を見ることができる。このように，光学的な被写体像70と固体電子撮像素子41によって撮像された被写体像71とを同時に見ることができる。
【００３７】
図８は，ＯＶＦシャッタ62が閉じている場合にファインダ装置60の接眼窓11から覗いたときに見える画像の一例である。
【００３８】
上述したようにＯＶＦシャッタ62が閉じている場合には，対物窓３を通して被写体は見えない。電子ビュー・ファインダ65の表示画面65Ａには固体電子撮像素子41によって撮像された被写体像90が表示される。電子ビュー・ファインダ65の表示画面65Ａは上述したように横長なので横長の被写体像90を見ることができる。透過領域63Ａと遮光領域63Ｂとを合わせた領域に被写体像90が表示される。分りやすくするために領域63Ａと領域63Ｂとの境界に鎖線が引かれているが，この鎖線は見えないのはいうまでもない。もちろん，この鎖線を表示してもよい。
【００３９】
図９は，ディジタル・カメラ１の処理手順を示すフローチャートである。
【００４０】
切替レバー19によって光学式電子式兼用ビュー・ファインダが設定されているかどうかが確認される（ステップ101）。
【００４１】
光学式電子式兼用ビュー・ファインダが設定されていない場合には（ステップ101でＮＯ），電子ビュー・ファインダが設定されていると考えられ，ＯＶＦシャッタ62が閉じられる（ステップ102）。図８に示したように，電子ビュー・ファインダ65の表示画面65Ａに固体電子撮像素子41によって撮像された被写体像が表示（ＥＶＦ表示）される（ステップ103）。上述したように，表示画面65Ａは横長の被写体像が表示されるから，その横長の被写体像を接眼窓11からユーザは見ることとなる。
【００４２】
光学式電子式兼用ビュー・ファインダが設定されている場合には（ステップ101でＹＥＳ），ＯＶＦシャッタ62が開放される（ステップ104）。電子ビュー・ファインダ65の表示領域65Ｂには固体電子撮像素子41によって撮像された被写体像（の一部）が表示される（ステップ105）。すると，図７に示すように，光学的な被写体像70と固体電子撮像素子41によって撮像された被写体像（の一部）71とを見ることができる。
【００４３】
上述の実施例において，固体電子撮像素子41の受光面のアスペクト比も電子ビュー・ファインダ65の表示画面65Ａのアスペクト比と同じように水平方向の長さ：垂直方向の長さ＝16：９のものを利用することができる。これにより，固体電子撮像素子41によって撮像された被写体像のアスペクト比を変えることなく，図８に示すように横長の被写体像90を電子ビュー・ファインダ65の表示画面65Ａに表示できる。その場合，図７に示すように，撮像範囲を示す視野枠80によって定まる撮像範囲のアスペクト比も固体電子撮像素子41の受光面のアスペクト比と同様に水平方向の長さ：垂直方向の長さ＝16：９にすればよい。もっとも，視野枠80によって定まる撮像範囲のアスペクト比は固体電子撮像素子41のアスペクト比と同じでなく，たとえば，水平方向の長さ：垂直方向の長さ＝４：３としてもよい。そのような場合には，切替レバー19によって光学式電子式兼用ビュー・ファインダが設定されたときには，固体電子撮像素子41によって撮像された16：９のアスペクト比をもつ被写体像から４：３のアスペクト比となるように切り取られ，切り取られた被写体像を表わす画像データがメモリ・カード50に記録されよう。もっとも，16：９のアスペクト比をもつ被写体像を表わす画像データがそのままメモリ・カード50に記録されるようにしてもよいのはいうまでもない。
【００４４】
図10は，変形例を示すもので，光学式電子式兼用ビュー・ファインダが設定された場合に，ファインダ装置60の接眼窓11から見える画像の一例である。
【００４５】
上述した実施例では，電子ビュー・ファインダ65の表示領域65Ｂに撮像した被写体像（の一部）が表示されることにより，図７に示すように光学的な被写体像70と撮像により得られた被写体像71とを同時に見ることができるが，図10に示す例では電子ビュー・ファインダ65の表示領域65Ｂには被写体像71ではなくディジタル・カメラ１に設定されている情報75が表示される。これにより，ユーザは，ファインダ装置60を覗くことにより，光学的な被写体像70とディジタル・カメラ１に設定されている情報とを同時に見ることができる。ユーザは，ディジタル・カメラ１に設定されている情報を確認しながら，光学的な被写体像70を見てカメラ・アングルを決定できる。これらの情報75は，ＣＰＵ47によって検出され，ＬＣＤドライバ36に与えられることにより，表示領域65Ｂに表示される。図10に示す例では，シャッタ・スピード，絞り値，感度などが表示されているが，その他の情報が表示されてもよい。
【００４６】
図４に示したように，対物レンズ61の光軸Ｌと接眼レンズ66の光軸Ｌとは一致しており，それらの光軸Ｌは，プリズム63の透過領域63Ａの中心と一致している。ディストーションにより，結像する被写体像70は光軸Ｌから離れるほど歪む。図７に示したように，プリズム63の透過領域63Ａの中心と対物レンズ61の光軸Ｌおよび接眼レンズ66の光軸Ｌとが一致していると，光学的に結像する被写体像70は中心から外側となるにつれ一律に歪みが生じる。これに対して図８に示すように，電子ビュー・ファインダ65の表示画面65Ａの全体に撮像した被写体像90を表示し，接眼レンズ66によって結像した被写体像90を見た場合，被写体像90の中心と接眼レンズ66の中心とは一致していないので，被写体像90の中心から外側となるにつれ一律に歪むのではなく，被写体像90の右側部分の方が左側部分よりも歪量が多い。
【００４７】
図11から図13は，電子ビュー・ファインダ65に表示された被写体像の中心と接眼レンズ66の光軸Ｌとが一致しないときのディストーション補正についてのものである。
【００４８】
図11は，上述したように，接眼レンズ66により被写体像にディストーションが生じる様子を示している。
【００４９】
対物レンズ３を通して接眼レンズ66によって結像する光学的な被写体像および電子ビュー・ファインダ65に表示され，かつ接眼レンズ66によって結像する被写体像のいずれも被写体像110として表わされている。接眼レンズ66のディストーションによる被写体像の歪は上述したように，接眼レンズ66の光軸Ｌを中心にして離れるにしたがって増加する。被写体像110が接眼レンズ66によって結像する光学的な被写体像であれば，その光学的な被写体像の中心Ｃ１と接眼レンズ66の光軸Ｌとが一致するので，被写体像の中心Ｃ１から外側となるほど一律に歪むこととなる。これに対して，被写体像110が電子ビュー・ファインダ65の表示画面65Ａに表示され，かつ接眼レンズ66によって結像する被写体像であれば，その被写体像の中心Ｃ２と接眼レンズ66の光軸Ｌとは一致しない。このために，接眼レンズ66を介して見る被写体像は左右非対称に歪んだものとなる。
【００５０】
図12は，電子ビュー・ファインダ65の表示画面65Ａに表示され，かつ接眼レンズ66のディストーションにより歪んだ被写体像120の一例である。
【００５１】
上述のように，接眼レンズ66の光軸Ｌは，被写体像120の中心を通らないので，接眼レンズ66のディストーションにより，左側の歪量よりも右側歪量の方が多い。このために，被写体像120の中心Ｃ２から離れるほど歪量が小さくなるように（補正量が多くなるように）被写体像120にディストーション補正をしても，正確なディストーション補正を実行できない。この実施例では，被写体像120の中心Ｃ２からではなく，接眼レンズ66の光軸Ｌから離れるほど歪量が小さくなるように被写体像120にディストーション補正するものである。
【００５２】
図13は，ディストーション補正された被写体像121の一例である。
【００５３】
上述のように，接眼レンズ66の光軸Ｌから離れるほど歪量が小さくなるようにディストーション補正されている。このような被写体像121が電子ビュー・ファインダ65の表示画面65Ａに表示され，接眼レンズ66を介して見ることにより接眼レンズ66のディストーションの影響が排除された被写体像を見ることができる。
【００５４】
上述の実施例においては，電子ビュー・ファインダ65の表示領域65Ｂに撮像した被写体像の一部（図７参照），ディジタル・カメラ１に設定されている情報（図10参照）などが表示されるが，その他の情報等を表示するようにしてもよい。たとえば，撮像した被写体像の明るさなどのヒストグラム，撮像した被写体像のピント評価値のグラフ，メモリ・カード50に記録されている画像データの再生画像，撮像のためのアシスト情報（モードの説明，操作の説明など），操作マニュアル（動かしたボタン，ダイアルの説明）などが表示されるようにしてもよい。例えば，再生画像が表示されることにより，これから撮像する画像のフレーミングをチェックできるようになる。
【００５５】
さらに，上述した実施例においては，図７に示すように光学的な被写体像が見える透過領域63Ａの右側に電子ビュー・ファインダ65の表示領域65Ｂに表示された情報等が見える遮光領域63Ｂが規定されているが，透過領域63Ａの左側に遮光領域63Ｂが規定されてもよいし，透過領域63Ａの上側または下側に遮光領域63Ｂが規定されてもよい。
【００５６】
さらに，上述の実施例では，光学式電子式兼用ビュー・ファインダと電子ビュー・ファインダとを切り換えているが，図６に示すように，電子ビュー・ファインダ65の表示量椅子器65Ｂに何も表示されない光学ビュー・ファインダの設定ができるようにしてもよい。
【符号の説明】
【００５７】
１  ディジタル・カメラ
３  対物窓
11  接眼窓
36  ＬＣＤドライバ（表示制御手段）
41  固体電子撮像素子
47  ＣＰＵ（シャッタ制御手段，表示制御手段）
60  ファインダ装置
62  ＯＶＦシャッタ（シャッタ手段）
63  プリズム（偏向光学系）
65  電子ビュー・ファインダ（表示装置）
【図１】
2014013796.tif 000003
【図２】
2014013796.tif 000004
【図３】
2014013796.tif 000005
【図４】
2014013796.tif 000006
【図５】
2014013796.tif 000007
【図６】
2014013796.tif 000008
【図７】
2014013796.tif 000009
【図８】
2014013796.tif 000010
【図９】
2014013796.tif 000011
【図１０】
2014013796.tif 000012
【図１１】
2014013796.tif 000013
【図１２】
2014013796.tif 000014
【図１３】
2014013796.tif 000015
【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
カメラの前面に形成され，被写体に向く対物窓および上記対物窓を通して見える光学的な被写体像を覗く接眼窓を備えたファインダ装置，
被写体を撮像し，被写体像を表わす画像データを出力する固体電子撮像装置，
上記固体電子撮像装置によって撮像された被写体像を表示画面に表示する表示装置，
上記対物窓を通して見える光学的な被写体像を透過する透過領域と上記透過領域の水平方向または垂直方向に規定され，入射光を遮るマスク領域とが形成されており，かつ上記表示装置の表示画面に表示されている被写体像を上記接眼窓に導く偏向光学系，
被写体と上記偏向光学系との間に設けられ，上記対物窓を通して入射する光線束を遮光自在なシャッタ手段，
上記ファインダ装置を光学式電子式兼用ビュー・ファインダとして利用する場合には上記対物窓を通して入射する光線束を遮光しないように上記シャッタ手段を制御し，上記ファインダ装置を電子ビュー・ファインダとして利用する場合には上記対物窓を通して入射する光線束を遮光するように上記シャッタ手段を制御するシャッタ制御手段，ならびに
上記ファインダ装置を光学式電子式兼用ビュー・ファインダとして利用する場合には上記マスク領域に重なるような上記接眼窓に導かれる位置に上記透過領域の中心部分を表す被写体像を表示するように上記表示装置を制御し，上記ファインダ装置を電子ビュー・ファインダとして利用する場合には上記マスク領域および上記透過領域を合わせた領域に重なるような上記接眼窓に導かれる位置に被写体像を表示するように上記表示装置を制御する表示制御手段，
を備えたカメラ。
【請求項２】
上記ファインダ装置は，上記接眼窓と上記偏向光学系との間に設けられ，かつ光軸が上記透過領域の中心と一致する接眼レンズを備え，
上記表示制御手段は，
上記ファインダ装置を電子ビュー・ファインダとして利用する場合には，上記接眼レンズによるディストーションを補正して上記表示画面に被写体像を表示するものである，
請求項１に記載のカメラ。
【請求項３】
上記表示制御手段は，
上記ファインダ装置を光学式電子式兼用ファインダとして利用する場合にはマスク領域に重なるような接眼窓に導かれる位置にカメラの設定状況，上記固体電子撮像装置によって撮像された被写体像のヒストグラム，上記固体電子撮像装置によって撮像された被写体像のピント評価値のグラフ，カメラによって撮像された画像の再生画像，撮像アシスト情報，およびカメラの操作マニュアルの少なくとも一つの情報を表示するように上記表示装置を制御するものである，
請求項１または２に記載のカメラ。
【請求項４】
カメラの前面に形成され，被写体に向く対物窓および上記対物窓を通して見える光学的な被写体像を覗く接眼窓を備えたファインダ装置を備えたカメラの動作制御方法おいて，
固体電子撮像装置が，被写体を撮像し，被写体像を表わす画像データを出力し，
表示装置が，上記固体電子撮像装置によって撮像された被写体像を表示画面に表示し，
偏向光学系が，上記対物窓を通して見える光学的な被写体像を透過する透過領域と上記透過領域の水平方向または垂直方向に規定され，入射光を遮るマスク領域とが形成されており，かつ上記表示装置の表示画面に表示されている被写体像を上記接眼窓に導き，
シャッタ手段が，被写体と上記偏向光学系との間に設けられ，上記対物窓を通して入射する光線束を遮光自在であり，
シャッタ制御手段が，上記ファインダ装置を光学式電子式兼用ファインダとして利用する場合には上記対物窓を通して入射する光線束を遮光しないように上記シャッタ手段を制御し，上記ファインダ装置を電子ビュー・ファインダとして利用する場合には上記対物窓を通して入射する光線束を遮光するように上記シャッタ手段を制御し，
表示制御手段が，上記ファインダ装置を光学式電子式兼用ファインダとして利用する場合には上記マスク領域に重なるような上記接眼窓に導かれる位置に上記透過領域の中心部分を表す被写体像を表示するように上記表示装置を制御し，上記ファインダ装置を電子ビュー・ファインダとして利用する場合には上記マスク領域および上記透過領域を合わせた領域に重なるような上記接眼窓に導かれる位置に被写体像を表示するように上記表示装置を制御する，
カメラの動作制御方法。
【国際調査報告】
2014013796.tif 000016
2014013796.tif 000017